(57)【要約】【課題】  デジタルカメラにおいて簡易な構成でモニタに表示されるステレオ画像を立体視可能にする。【解決手段】  デジタルカメラはカメラ本体２０とモニタ支持体１４とモニタ本体３０とを有する。モニタ支持体１４はモニタ本体を第１方向Ｄ１に垂直な第４の軸ａｘ４を中心に回動自在に支持する。カメラ本体２０はモニタ支持体１４を第１方向Ｄ１に平行な第３の軸ａｘ３を中心に回動自在に支持する。モニタ本体３０は保護窓を第４の軸ａｘ４と垂直な第１の軸を中心に回動自在に支持する。カメラ本体２０の背面に右鏡２１Rおよび左鏡２１Lを設ける。第１方向Ｄ１および第２方向Ｄ２に平行な基準平面に対して右鏡２１Rおよび左鏡２１Lは第２方向Ｄ２に平行な直線を軸に傾斜している。【選択図】        図３
2006308846.tif 000002
【特許請求の範囲】
【請求項１】
被写体像を表示する画像表示手段と、
前記画像表示手段に表示される前記被写体像を形成する光を反射する第１の反射手段と、
前記第１の反射手段に反射される前記被写体像を形成する光を反射する第２の反射手段とを備える
ことを特徴とするデジタルカメラ。
【請求項２】
前記第２の反射手段には、互いに交わる関係にある２つの平面を有する反射面が形成され、
前記画像表示手段には、２つの異なる画像が表示され、前記異なる画像の一方を形成する光は前記２つの平面の一方に入射され、前記異なる画像の他方を形成する光は前記２つの平面の他方に入射される
ことを特徴とする請求項１に記載のデジタルカメラ。
【請求項３】
前記第２の反射手段に形成される互いに交わる関係にある２つ平面の前記反射面側の角度が１８０°より大きいことを特徴とする請求項２に記載のデジタルカメラ。
【請求項４】
前記第２の反射手段には、凹面である反射面が形成されることを特徴とする請求項１に記載のデジタルカメラ。
【請求項５】
前記第１の反射手段には、平面である第１の面が形成され、
前記第２の反射手段は、平面である第２の面に対して固定され、
前記画像表示手段の画像表示面と前記第１の面との交線が、前記第２の面に平行であり、
前記第１の反射手段は、前記画像表示面に対する前記第１の平面の角度が９０°未満、かつ前記第２の平面に対する第１の平面の角度が９０°未満になるように、前記画像表示手段及び前記第２の反射手段に対する前記第１の反射手段の相対的位置が調節可能である
ことを特徴とする請求項１〜請求項４のいずれか１項に記載のデジタルカメラ。
【請求項６】
前記第１の平面と前記画像表示面とに平行な第１の軸を中心に、前記第１の反射手段を前記画像表示手段に対して回動させることにより、前記第１の反射手段の位置が調節されることを特徴とする請求項５に記載のデジタルカメラ。
【請求項７】
前記第１の反射手段と前記画像表示面とが重なるまで、前記第１の軸を中心に前記画像表示手段に対して前記第１の反射手段を回動可能なことを特徴とする請求項６に記載のデジタルカメラ。
【請求項８】
前記第１の平面と前記第２の平面とに平行な第２の軸を中心に、前記第１の反射手段を前記第２の反射手段に対して回動させることにより、前記第１の反射手段の位置が調節されることを特徴とする請求項５に記載のデジタルカメラ。
【請求項９】
前記第２の平面と前記画像表示面とに平行な第３の軸を中心に、前記画像表示手段を前記第２の反射手段に対して回動させることにより、前記画像表示手段または前記第２の反射手段に対する前記第１の反射手段の相対的位置が調節されることを特徴とする請求項５に記載のデジタルカメラ。
【請求項１０】
前記第２の反射手段と前記画像表示面とが重なるまで、前記第３の軸を中心に前記第２の反射手段に対して前記画像表示手段を回動可能なことを特徴とする請求項９に記載のデジタルカメラ。
【請求項１１】
前記画像表示手段が、前記第３の軸に垂直な第４の軸を中心に回動自在であることを特徴とする請求項９または請求項１０に記載のデジタルカメラ。
【請求項１２】
前記第２の反射手段が固定される本体を備え、前記画像表示手段は前記第３の軸を中心に回動自在に前記本体に支持されることを特徴とする請求項９〜請求項１１のいずれか１項に記載のデジタルカメラ。
【請求項１３】
前記第１の反射手段は、前記画像表示面に関して前記第３の軸とは反対側において、前記第１の平面と前記画像表示面とに平行な第１の軸を中心に回動自在に、前記画像表示手段に支持されることを特徴とする請求項９〜請求項１２のいずれか１項に記載のデジタルカメラ。
【請求項１４】
前記第１の反射手段を、前記画像表示面に対して所定の第１の角度を超えて回動することを規制する規制部材を備えることを特徴とする請求項１３に記載のデジタルカメラ。
【請求項１５】
前記第１の角度が４５°であることを特徴とする請求項１４に記載のデジタルカメラ。
【請求項１６】
前記第１の反射手段は、前記第２の反射手段に関して前記第３の軸とは反対側において、前記第１の平面と前記第２の平面とに平行な第２の軸を中心に回動自在に、前記第２の反射手段または前記本体に支持されることを特徴とする請求項９〜請求項１２のいずれか１項に記載のデジタルカメラ。
【請求項１７】
前記第１の反射手段は、入射する光の一部を反射し、一部を透過させるハーフミラーによって形成されることを特徴とする請求項１〜請求項１６のいずれか１項に記載のデジタルカメラ。
【発明の詳細な説明】
【技術分野】
【０００１】
本発明は、特殊な態様で画像表示モニタを視認可能にするデジタルカメラに関する。
【背景技術】
【０００２】
左右の目と同じ視差を持たせて撮影した一対の写真であるステレオ写真が知られている。ステレオ写真の右側の画像を右目だけで、左側の画像を左目だけで見ることによりステレオ写真を立体視することが可能となる。
【０００３】
ところで、近年、様々な機能を備えたデジタルカメラが提案されている。本件出願人が提案したように、デジタルカメラを用いてステレオ写真を撮像することが可能である（特許文献１、特許文献２参照）。デジタルカメラには画像表示モニタが設けられており、撮影したステレオ画像もモニタに表示することが可能である。モニタに表示することにより印刷することなく手軽に画像を視認することが出来る。
【０００４】
モニタにステレオ画像を表示することは可能であるが、これを立体視するためには立体ビュワーを用いる必要があった。そこで、デジタルカメラに立体ビュワーを携帯する煩わしさを排除するために、簡易な構成でステレオ画像の立体視を可能にさせるデジタルカメラが求められていた。
【特許文献１】特開２００３−２４４５００号公報
【特許文献２】特開２００３−２４４７２７号公報
【発明の開示】
【発明が解決しようとする課題】
【０００５】
したがって、本発明では簡易な構成でモニタに表示されるステレオ画像を立体視することが可能なデジタルカメラの提供を目的とする。
【課題を解決するための手段】
【０００６】
本発明のデジタルカメラは、被写体像を表示する画像表示手段と、画像表示手段に表示される被写体像を形成する光を反射する第１の反射手段と、第１の反射手段に反射される被写体像を形成する光を反射する第２の反射手段とを備えることを特徴としている。
【０００７】
第２の反射手段には互いに交わる関係にある２つの平面を有する反射面が形成され、画像表示手段には２つの異なる画像が表示され、異なる画像の一方を形成する光は２つの平面の一方に入射され、異なる画像の他方を形成する光は２つの平面の他方に入射されることが好ましい。このような構成により、ステレオ画像の立体視が可能である。
【０００８】
また、第２の反射手段に形成される互いに交わる関係にある２つ平面の反射面側の角度が１８０°より大きいことが好ましい。
【０００９】
また、第２の反射手段には凹面である反射面が形成されることが好ましい。
【００１０】
また、第１の反射手段には平面である第１の面が形成され、第２の反射手段は平面である第２の面に対して固定され、画像表示手段の画像表示面と第１の面との交線が第２の面に平行であり、第１の反射手段は画像表示面に対する第１の平面の角度が９０°未満かつ第２の平面に対する第１の平面の角度が９０°未満になるように画像表示手段及び第２の反射手段に対する第１の反射手段の相対的位置が調節可能であることが好ましい。
【００１１】
また、第１の平面と画像表示面とに平行な第１の軸を中心に第１の反射手段を画像表示手段に対して回動させることにより、第１の反射手段の位置が調節されることが好ましい。さらに第１の反射手段と画像表示面とが重なるまで第１の軸を中心に画像表示手段に対して第１の反射手段を回動可能なことが好ましい。
【００１２】
また、第１の平面と前記第２の平面とに平行な第２の軸を中心に第１の反射手段を第２の反射手段に対して回動させることにより、第１の反射手段の位置が調節されることが好ましい。
【００１３】
また、第２の平面と画像表示面とに平行な第３の軸を中心に画像表示手段を第２の反射手段に対して回動させることにより、画像表示手段または第２の反射手段に対する第１の反射手段の相対的位置が調節されることが好ましい。
【００１４】
また、第２の反射手段と画像表示面とが重なるまで第３の軸を中心に第２の反射手段に対して画像表示手段を回動可能なことが好ましい。
【００１５】
また、画像表示手段が、第３の軸に垂直な第４の軸を中心に回動自在であることが好ましい。
【００１６】
また、第２の反射手段が固定される本体を備え、画像表示手段は第３の軸を中心に回動自在に前記本体に支持されることが好ましい。
【００１７】
また、第１の反射手段は、画像表示面に関して第３の軸とは反対側において第１の平面と画像表示面とに平行な第１の軸を中心に回動自在に画像表示手段に支持されることが好ましい。
【００１８】
また、第１の反射手段を、画像表示面に対して所定の第１の角度を超えて回動することを規制する規制部材を備えることが好ましく、所定の第１の角度は４５°であることがさらに好ましい。
【００１９】
また、第１の反射手段は、第２の反射手段に関して第３の軸とは反対側において第１の平面と第２の平面とに平行な第２の軸を中心に回動自在に第２の反射手段または本体に支持されることが好ましい。
【００２０】
また、第１の反射手段は入射する光の一部を反射し、一部を透過させるハーフミラーによって形成されることが好ましい。
【発明の効果】
【００２１】
本発明によれば、デジタルカメラにおける簡易な構成により、モニタに表示される画像にステレオ効果などの特定の視覚的効果を生じさせることが可能になる。
【発明を実施するための最良の形態】
【００２２】
以下、本発明の実施形態について図面を参照して説明する。図１は、本発明の第１の実施形態を適用したデジタルカメラ１０の正面側の斜視図である。図２は、デジタルカメラ１０の背面側の斜視図である。なお、図１、図２では、デジタルカメラ１０の水平方向が第１方向Ｄ１、垂直方向が第２方向Ｄ２として表示される。また、以後の図においても、方向は同じである。
【００２３】
デジタルカメラ１０には、正面に撮影光学系１１が、背面にＬＣＤモニタ３１（画像表示手段）と再生ボタン１２とが、および上面にレリーズボタン１３が設けられる。なお、ＬＣＤモニタ３１の表面は第１方向Ｄ１に平行な平面状に形成され、後述するようにハーフミラーである保護窓（第１の反射手段）によって覆われる。
【００２４】
デジタルカメラ１０の電源をＯＮにすると、撮影光学系１１を介して、被写体像を形成する光がデジタルカメラ１０の内部に設けられた撮像素子（図示せず）に受光される。撮像素子において受光する光により形成される画像が、ＬＣＤモニタ３１に表示される。
【００２５】
レリーズボタン１３を押すことにより、その時に撮像素子において受光する光により形成される画像に相当する画像データが、メモリカード（図示せず）に格納される。再生ボタン１２を押すと、メモリカードに記憶された画像がＬＣＤモニタ３１に表示される。
【００２６】
図３は、デジタルカメラ１０のカメラ本体２０に対するモニタ本体３０の支持構造を示すための分解図である。デジタルカメラ１０は、カメラ本体２０、モニタ支持体１４、及びモニタ本体３０によって構成される。モニタ本体３０には一方の面にＬＣＤモニタ３１が設けられる。
【００２７】
モニタ支持体１４は、カメラ本体２０の背面の上側において第１方向Ｄ１に平行な第３の軸ａｘ３を中心に回動自在に支持される。モニタ本体３０は、モニタ支持体１４に第１方向Ｄ１に垂直な第４の軸ａｘ４を中心に回動自在に支持される。すなわち、モニタ本体３０は、モニタ支持体１４を介してカメラ本体２０に支持される。なお、モニタ支持体１４は、モニタ本体３０がカメラ本体２０の背面と重なる状態から上方に回動可能である。
【００２８】
カメラ本体２０の背面の一部には、平面鏡である右鏡２１Rと左鏡２１Lと（第２の反射手段）が設けられる。モニタ本体３０がカメラ本体２０と重なり第２方向Ｄ２に平行となるように回動させた状態（図２参照）において、右鏡２１Rと左鏡２１Lとはモニタ本体３０に対向する位置に配置される。
【００２９】
右鏡２１Rおよび左鏡２１Lは、カメラ本体２０における第１方向Ｄ１および第２方向Ｄ２に平行な基準平面（第２の面）に対して所定の位置に配置される。右鏡２１Rおよび左鏡２１Lは、基準平面に対して第２方向Ｄ２に平行な軸を中心に同じ角度で傾けられ、カメラ本体２０の背面側に凸となるように固定される。
【００３０】
すなわち、右鏡２１Rの平面と左鏡２１Lの平面とは互いに交わる関係であって、右鏡２１Rおよび左鏡２１Lの反射面側の角度が１８０°より大きく保たれた状態になるように、右鏡２１Rおよび左鏡２１Lがカメラ本体２０に固定される。
【００３１】
図４は、モニタ本体３０に対する保護窓３２の支持構造を示すための分解図である。平面（第１の面）状に形成された保護窓３２は、モニタ本体３０のＬＣＤモニタ３１側において第４の軸ａｘ４に垂直な第１の軸ａｘ１を中心に回動自在に支持される。なお、第１の軸ａｘ１は、モニタ支持体１４がモニタ本体３０を支持する端とは反対の端に配置される。
【００３２】
保護窓３２には回動規制部３３、３３が設けられる。回動規制部３３、３３には、軸孔３４、３４が設けられる。軸孔３４、３４を通る線を第１の軸ａｘ１として、保護窓３２がモニタ本体３０に支持される。
【００３３】
また、モニタ本体３０の両側面には、係止片３５が形成される。図５（ａ）、（ｂ）に示すように、第３の軸ａｘ３を中心に保護窓３２を開く方向に回転させてモニタ本体３０におけるＬＣＤモニタ３１との間の角度が４５°になるときに、回動規制部３３と係止片３５とが係合する。回動規制部３３と係止片３５とが係合することにより、保護窓３２がＬＣＤモニタ３１に対して４５°を超えて開くことが規制される。
【００３４】
モニタ本体３０には、保護窓ロック機構（図示せず）が設けられる。保護窓ロック機構により保護窓３２はロックされ、保護窓３２とモニタ本体３０とが重なる状態に維持される。保護窓ロック機構を形成する解除レバー３６がモニタ本体３０の側面に設けられる（図４参照）。解除レバー３６を一方向（図４において下から上の方向）に引くことにより、保護窓３２に対するロックが解除される。
【００３５】
保護窓３２には、第１の軸ａｘ１周りにトーションバネ３７、３７が取り付けられる。トーションバネ３７、３７によって、保護窓３２はモニタ本体３０から第１の軸ａｘ１を中心に開く方向に付勢される。
【００３６】
保護窓ロック機構によるロックを解除すると、保護窓３２はトーションバネ３７、３７によりＬＣＤモニタ３１に対して４５°の角度に開いた状態に維持される。
【００３７】
次に、デジタルカメラ１０を用いてＬＣＤモニタ３１に表示するステレオ画像を立体視する方法について図６を用いて説明する。ステレオ画像を立体視するために、モニタ本体３０がカメラ本体２０における基準平面ＳＰに対して９０°の角度となるように開かれる。また、解除レバー３６を引くことにより保護窓３２が、ＬＣＤモニタ（図６において図示せず）に対して４５°の角度になるように開かれる。
【００３８】
再生ボタン１２を押して、画像選択ボタン（図示せず）を操作することにより、図７に示すようにＬＣＤモニタ３１に所望のステレオ画像が表示される。すなわち、すなわち左右に視差のある右用画像ＰＲと左用画像ＰＬとが左右に並んで表示される。なお、ＬＣＤモニタ３１においてモニタ支持体１４側を上側Ｕとし、第１の軸ａｘ１側を下側Ｄとし、この上下方向において右側Ｒ、および左側Ｌが定められる。
【００３９】
なお、ＬＣＤモニタ３１に表示される画像は、モニタ本体３０と保護窓３２との姿勢に基づいて、上下方向および・または左右方向を反転するように表示される。ステレオ写真を立体視するための姿勢、すなわち、モニタ本体３０がカメラ本体２０の基準平面に対して９０°および保護窓３２がＬＣＤモニタに対して４５°の状態（図６参照）では、上下方向・左右方向を反転させた画像が表示される（図８参照）。
【００４０】
このとき、右側画像ＰＲおよび左側画像ＰＬ全体として画像が反転される。したがって、右用画像ＰＲ、左用画像ＰＬが、それぞれＬＣＤモニタ３１の左側Ｌ、右側Ｒに表示される。
【００４１】
図９に示すように、ＬＣＤモニタ３１に表示された画像を形成する光は、保護窓３２により右鏡２１Rおよび左鏡２１Lの方向に反射される。ＬＣＤモニタ３１に表示された画像を形成する光は、さらに右鏡２１Rと左鏡２１Lとによって保護窓３２の方向に反射される。右鏡２１Rと左鏡２１Lとに反射された光の一部は、保護窓３２を透過して、観察者の目Ｅに入射される。
【００４２】
図１０に示すように、ＬＣＤモニタ（図１０においてモニタ本体３０の裏側）の左側Ｌに表示された右用画像は、保護窓（図１０において図示せず）と右鏡２１Rに反射される。ＬＣＤモニタの右側Ｒに表示された左用画像は、保護窓と左鏡２１Lに反射される。使用者は保護窓を通して右目ＲＥで右鏡２１Rだけを、左目ＬＥで左鏡２１Lだけを見ることにより、ステレオ画像の立体視が可能になる。
【００４３】
左右に２つの画像が並ぶ平面状のステレオ画像において、右側の画像を右目だけで、左側の画像を左目だけで見ることは極めて困難である。しかし、使用者側に突出するように傾けられた２枚の平面鏡の一方を右目のみで、他方を左目のみで見ることは容易である。したがって、デジタルカメラ１０によれば、右鏡２１Rを介して右用画像を右目のみで、左鏡２１Lを介して左用画像を左目のみで見ることが可能である。
【００４４】
以上のように、本実施形態のデジタルカメラ１０を用いることにより、ＬＣＤモニタ３１に表示されるステレオ画像の立体視が可能になる。
【００４５】
また、モニタ本体３０をカメラ本体２０に対して回動可能なフリップ機構は公知であった。本実施形態のデジタルカメラ１０は、フリップ機構を有するデジタルカメラに簡易な構成、すなわち回動可能な保護窓３２、右鏡２１Rおよび左鏡２１Lを付加することにより形成可能である。したがって、ステレオ画像を立体視させるデジタルカメラの構成を簡易にすることが可能になる。
【００４６】
次に、本発明の第２の実施形態について説明する。本実施形態では、ＬＣＤモニタ３１に表示された画像を形成する光を右鏡２１Rおよび左鏡２１Lに反射させる反射手段を支持する構成が第１の実施形態と異なっている。以下、第１の実施形態と異なる点を中心に説明する。なお、図１１において、第１の実施形態と同じ機能を有する部位には同じ記号を付けている。
【００４７】
デジタルカメラ（図１１において図示せず）は、カメラ本体２００、モニタ支持体（図１１において図示せず）、およびモニタ本体（図１１において図示せず）によって構成されることは第１の実施形態と同じである。また、モニタ支持体がカメラ本体２００に回動自在に支持されること、モニタ本体がモニタ支持体に回動自在に支持されることも第１の実施形態と同じである。
【００４８】
カメラ本体２００の背面に右鏡２１Rおよび左鏡２１Lが設けられる構成も第１の実施形態と同じである。カメラ本体２００の背面の下側、すなわち右鏡２１Rおよび左鏡２１Lを挟んで第３の軸ａｘ３と反対側において、反射板２２０が第１方向Ｄ１に平行な第２の軸ａｘ２を中心に回動自在にカメラ本体２００に支持される。なお、反射板２２０はハーフミラーによって形成される。
【００４９】
反射板２２０には回動規制部２３０が形成される。回動規制部２３０には、軸孔２４０が形成される。軸孔２４０を通る線を第２の軸ａｘ２として、反射板２２０がカメラ本体２００に支持される。
【００５０】
また、カメラ本体２００には、係止片２５０が形成される。第１の実施形態と同様に第２の軸ａｘ２を中心に反射板２２０を開く方向に回転させて、第１方向Ｄ１および第２方向Ｄ２に平行な平面と反射板２２０との間の角度が４５°になるときに、回動規制部２３０と係止片２５０とが係合する。
【００５１】
回動規制部２３０と係止片２５０とが係合することにより、第１方向Ｄ１と第２方向Ｄ２に平行な平面に対して反射板２２０が４５°を超えて開くことが規制される。なお、本実施形態において、保護窓（図１１において図示せず）は、ＬＣＤモニタ（図１１において図示せず）を覆うように固定されていてもよい。
【００５２】
以上のような構成の本実施形態のデジタルカメラによっても、第１の実施形態と同様に、ＬＣＤモニタにステレオ画像を表示させ、立体視することが可能である。
【００５３】
なお、第１、第２の実施形態において、モニタ本体３０がカメラ本体２０、２００の基準平面ＳＰに対して９０°および保護窓３２または反射板２２０がＬＣＤモニタ３１に対して４５°の状態において、立体視が行なわれるが、他の特定の姿勢においても立体視が可能である。保護窓３２または反射板２２０が、ＬＣＤモニタ３１および基準平面ＳＰに対する角度が９０°未満であれば立体視は可能である。
【００５４】
また、第１、第２の実施形態において、モニタ本体３０と保護窓３２或いはモニタ本体３０と反射板２２０を回動自在に支持する構成であったが、保護窓３２または反射板２２０がＬＣＤモニタ３１および基準平面ＳＰに対して９０°未満の角度を保てるように相対的位置を調整可能であれば、本実施形態と同様の効果を得ることができる。
【００５５】
また、第１、第２の実施形態において、カメラ本体２０、２００の背面の一部に右鏡２１Rと左鏡２１Lとが設けられているが、ＬＣＤモニタ３１に表示される画像に対して特定の視覚的効果を生じさせる別の鏡を設けてもよい。例えば、凹面鏡を設ければ、ＬＣＤモニタ３１に表示される画像を拡大して見ることが可能になる。
【図面の簡単な説明】
【００５６】
【図１】本発明の第１の実施形態を適用したデジタルカメラの正面側の斜視図である。
【図２】デジタルカメラの背面側の斜視図である。
【図３】デジタルカメラのカメラ本体に対するモニタ本体の支持構造を示すための分解図である。
【図４】モニタ本体に対する保護窓の支持構造を示すための分解図である。
【図５】モニタ本体を側面から見た図であって、保護窓が閉じた状態と開いた状態とにおける回動規制部と係止片との位置関係を説明するための図である。
【図６】立体視を行うときのモニタ本体と保護窓の姿勢を説明するための図である。
【図７】ステレオ画像が表示されたＬＣＤモニタを示す図である。
【図８】立体視するための姿勢において、ＬＣＤモニタに表示されるステレオ画像を示す図である。
【図９】ステレオ画像を立体視するときのＬＣＤモニタから観察者の目にステレオ画像が入射される経路を説明するための第１の図である。
【図１０】ステレオ画像を立体視するときのＬＣＤモニタから観察者の目にステレオ画像が入射される経路を説明するための第２の図である。
【図１１】本発明の第２の実施形態を適用したデジタルカメラにおけるカメラ本体の構造を示すための図である。
【符号の説明】
【００５７】
１０  デジタルカメラ
１４  モニタ支持体
２０、２００  カメラ本体
２１R  右鏡
２１L  左鏡
２２０  反射板
３０  モニタ本体
３１  ＬＣＤモニタ
３２  保護窓
３３  回動規制部
３５  係止片
【図１】
2006308846.tif 000003
【図２】
2006308846.tif 000004
【図３】
2006308846.tif 000005
【図４】
2006308846.tif 000006
【図５】
2006308846.tif 000007
【図６】
2006308846.tif 000008
【図７】
2006308846.tif 000009
【図８】
2006308846.tif 000010
【図９】
2006308846.tif 000011
【図１０】
2006308846.tif 000012
【図１１】
2006308846.tif 000013